(57)【要約】      （修正有）【課題】優れた強度を有しながらも組み立てが容易で保管時に嵩張らないような段ボール箱を形成するための段ボールシート構造体を提供する。【解決手段】１枚又は２枚のＡフルートの段ボールシートと、１枚のＢフルートの段ボールシートとが貼り合わされて主板２が構成され、該主板のＢフルートの段ボールシートがＡフルートの段ボールシートよりも外側に延出され、該延出されたＢフルートの段ボールシートの延出部分にＡフルートの段ボールシートが１枚ずつ貼り合わされ、それぞれ１枚のＡフルートの段ボールシートと１枚のＢフルートの段ボールシートとからなる複数の側板３，４が構成され、該側板と前記主板との境界部分である折曲部６，７が、前記Ｂフルートの段ボールシートのみで構成されていることを特徴とする。【選択図】図１
0003187563.tif 000002
【実用新案登録請求の範囲】
【請求項１】
主板と、該主板の周縁部に連設された複数の側板とを備え、該側板を前記主板に対して折り曲げることで箱状物が形成されるように前記主板と側板とが配された段ボールシート構造体であって、
前記主板は、１枚又は２枚のＡフルートの段ボールシートと、１枚のＢフルートの段ボールシートとが貼り合わされて構成され、該主板を構成している前記Ｂフルートの段ボールシートが前記Ａフルートの段ボールシートよりも外側に延出され、該延出されたＢフルートの段ボールシートの延出部分にＡフルートの段ボールシートが１枚ずつ貼り合わされることによって、それぞれ１枚のＡフルートの段ボールシートと１枚のＢフルートの段ボールシートとからなる前記複数の側板が構成されており、該側板と前記主板との境界部分である折曲部が、前記Ｂフルートの段ボールシートのみで構成されていることを特徴とする段ボールシート構造体。
【請求項２】
請求項１記載の段ボールシート構造体によって上面側に開口部が形成されるように構成される箱本体と、該箱本体の上面側の開口部を閉塞自在な蓋体とが具備されていることを特徴とする棺桶。
【請求項３】
請求項１記載の段ボールシート構造体によって形成される箱本体と、該箱本体の内部を仕切る１以上の仕切板とが具備されていることを特徴とする収納ボックス。
【考案の詳細な説明】
【技術分野】
【０００１】
本考案は、段ボールシート構造体、さらに詳しくは、各種の箱状物を形成するための段ボールシート構造体に関する。
【背景技術】
【０００２】
底部と側壁部とを有し、上面側に開口部を有するような箱状物は、従来、物品を収納する各種の用途に利用されており、また、このような箱状物は、上下を逆転させて、底部を天板等としてテーブルやベンチ等の代用として利用されることもある。このような箱状物の形成材料としては、木板、プラスチック板、段ボールシートなどが知られているが、なかでも段ボールシートで構成された箱（段ボール箱）は、軽量であるとともに嵩張らない平坦な状態に折り畳んで保管することができるため、緊急用途への利用などに好適なものである。
【０００３】
その一方で、段ボール箱は、木箱やプラスチック箱に比べると強度に劣る面があり、例えば重い物を収容した段ボール箱を底部の両端に手をかけて運搬しようとした際には、側壁部に大きな力が加わって当該側壁部が外向きに“くの字”に曲がってしまうおそれがある。
【０００４】
また、従来の段ボール箱を、上記のようにベンチの代用として使用した際には、側壁部が荷重を支えきれずに座屈するおそれがある。そして、段ボールシートは、通常、一旦折れ曲がってしまうと元通りの強度には復元しないため、上記のように座屈などを生じた段ボール箱は、通常の状態で用いることが難しくなる。
【０００５】
一方で、単に分厚い段ボールシートで段ボール箱を形成しようとすると、段ボール箱を組み立てる際に大きな力が必要になって老人や女性などにとって扱い辛いものになるばかりか保管時に嵩張ってしまうことになる。
【０００６】
ところで、近年、震災等の大きな被害を伴う自然災害が多く発生しており、素早い物資の輸送や、失われた家具代わりの利用を目的として、段ボール箱を利用することも試みられている。しかし、上記のような強度の問題や保管時の嵩張り等の問題から、実際には十分に活用されていないのが現状である。
【考案の概要】
【考案が解決しようとする課題】
【０００７】
本考案は、このような点に鑑みてなされたもので、たとえば上記のような自然災害時等において利用する場合、或いはそれ以外の用途に利用する場合において、優れた強度を有しながらも組み立てが容易で保管時に嵩張らないような段ボール箱を形成するための段ボールシート構造体を提供することを課題とする。
【課題を解決するための手段】
【０００８】
本考案者は、上記課題を解決すべく鋭意検討し、ＪＩＳ  Ｚ  １５１６で規格されるＡフルートと称される１枚の段ボールシートと、Ｂフルートと称される１枚の段ボールシートとが貼り合わされた段ボールシートを、段ボールシート構造体の主たる補強構造部分として用い、組み立てる際の折曲部となる部分においてはＢフルートの段ボールシートのみを用いることで、優れた強度を有しながらも組み立てが容易で保管時に嵩張らないような段ボール箱を形成するための段ボールシート構造体が得られることを見出し、本考案を完成するに至った。
【０００９】
本考案は上記課題を解決するためになされたもので、主板と、該主板の周縁部に連設された複数の側板とを備え、該側板を前記主板に対して折り曲げることで箱状物が形成されるように前記主板と側板とが配された段ボールシート構造体であって、前記主板は、１枚又は２枚のＡフルートの段ボールシートと、１枚のＢフルートの段ボールシートとが貼り合わされて構成され、該主板を構成している前記Ｂフルートの段ボールシートが前記Ａフルートの段ボールシートよりも外側に延出され、該延出されたＢフルートの段ボールシートの延出部分にＡフルートの段ボールシートが１枚ずつ貼り合わされることによって、それぞれ１枚のＡフルートの段ボールシートと１枚のＢフルートの段ボールシートとからなる前記複数の側板が構成されており、該側板と前記主板との境界部分である折曲部が、前記Ｂフルートの段ボールシートのみで構成されていることを特徴とする段ボールシート構造体を提供するものである。
【００１０】
ここで、Ａフルートの段ボールシートは、３０ｃｍあたりのフルート（波）の数が３４±２のものであり、Ｂフルートの段ボールシートは、３０ｃｍあたりのフルート（波）の数が５０±２のものである（ＪＩＳ  Ｚ  １５１６）。Ａフルートの段ボールシート、及びＢフルートの段ボールシートは、いずれも中芯の両側にライナーが配置された構成からなり、このような中芯と両側のライナーを含めたＡフルートの段ボールシートの厚みは約５ｍｍであり、Ｂフルートの段ボールシートの厚みは約３ｍｍである。
【００１１】
本考案の段ボールシート構造体は、主板と、該主板の周縁部に連設された複数の側板とを備え、該側板を前記主板に対して折り曲げることで箱状物が形成されるように前記主板と側板とが配されており、前記主板は、１枚又は２枚のＡフルートの段ボールシートと、１枚のＢフルートの段ボールシートとが貼り合わされて構成され、該主板を構成している前記Ｂフルートの段ボールシートが前記Ａフルートの段ボールシート外側に延出され、該延出されたＢフルートの段ボールシートの延出部分にＡフルートの段ボールシートが１枚ずつ貼り合わされることによって、それぞれ１枚のＡフルートの段ボールシートと１枚のＢフルートの段ボールシートとからなる前記複数の側板が構成されているものであるため、たとえば１枚のＡフルートの段ボールシートのみで構成された一般的な段ボール箱、或いは１枚のＢフルートの段ボールシートで構成された一般的な段ボール箱に比べて、優れた強度を有する段ボール箱を形成しうる段ボールシート構造体を提供できることとなる。
【００１２】
特に、より強度が要求される箱状物の形成用として段ボールシート構造体を使用する場合には、２枚のＡフルートの段ボールシートと、１枚のＢフルートの段ボールシートとを貼り合わせて主板を構成することが可能である。
【００１３】
この場合において、主板と側板との境界部分である折曲部が、厚さ約３ｍｍの１枚のＢフルートの段ボールシートのみで構成されているので、主板に対して側板を折り曲げる作業に支障を生じることもなく、主板に対して複数の側板をスムーズに折り曲げて箱状物を容易に組立てることができる。
【００１４】
また複数の側板が、厚さ約５ｍｍの１枚のＡフルートの段ボールシートと、厚さ約３ｍｍの１枚のＢフルートの段ボールシートに貼り合されて構成されているため、上記のように好適な強度を有する一方で、不使用時において上記のように折曲部を介して側板を主板に対して折り畳んだ状態において段ボールシート構造体が必要以上に嵩張ることがなく、保管スペースを必要以上にとることがない。
【００１５】
主板が、複数の側板と同様に、１枚のＡフルートの段ボールシートと１枚のＢフルートの段ボールシートが貼り合されて構成されている場合にも、折り畳んだ状態において、段ボールシート構造体が必要以上に嵩張ることがない。
【００１６】
これに対して、強度が要求される箱状物のために２枚のＡフルートの段ボールシートと１枚のＢフルートの段ボールシートとが貼り合わされて主板が構成されている場合には、Ａフルートの段ボールシートが１枚の場合に比べて、折り畳んだときの嵩張りが大きくなるが、複数の側板が１枚のＡフルートの段ボールシートと１枚のＢフルートの段ボールシートとが貼り合されて構成されているので、主板に２枚のＡフルートの段ボールシートが具備されていたとしても、折り畳んだときの嵩張りは最小限に抑制されることとなる。
【００１７】
さらに、主板や側板が、１枚のＡフルートの段ボールシートのみで構成された一般的な段ボール箱、或いは１枚のＢフルートの段ボールシートで構成された一般的な段ボール箱に比べて、優れた強度を有するものであり、且つ主板や側板との境界部分である折曲部をＢフルートの段ボールシートのみで構成し、主板や側板に比べて相対的に強度を低くしておくことで、組立時において大きな力が必要になることを抑制することができるとともに使用時においては主板に加わる応力を前記折曲部の部分で吸収させて側板に大きな力が加わることを抑制することができる。
【００１８】
尚、Ａフルートの段ボールシートを２枚貼り合せて主板や複数の側板を構成することも考えられるが、その場合には、主板と側板との境界部分である折曲部は、構造上、必然的に厚さ約５ｍｍのＡフルートの段ボールシートで構成されることとなり、本考案のようにＢフルートの段ボールシートのみで折曲部が構成されている場合に比べて、主板に対して側板を折り曲げる作業に支障を生じ、スムーズに折り曲げて箱状物を組立てることができないおそれがある。
【００１９】
スムーズに折り曲げることができるようにするためには、Ｂフルートの段ボールシートのみで折曲部が構成されている場合に比べて、折曲部の幅の寸法を大きくする必要があり、その分、段ボールシート構造体を折り畳んだときに段ボールシート構造体が嵩張ることとなる。また、約５ｍｍの厚さのＡフルートが２枚貼り合されて段ボールシート構造体が構成される場合には、厚みの点においても、約５ｍｍの厚さのＡフルートの段ボールシートと約３ｍｍの厚さのＢフルートの段ボールシートが貼り合されて複数の側板等の補強構造部分が構成される本考案の段ボールシート構造体に比べて、折り畳んだときの嵩張りが大きくなると考えられる。
【００２０】
一方、ＡＢフルート（Ｗフルート）と称されるＪＩＳ  Ｚ  １５１６で規格される段ボールシートがあるが、これは、一見して上記Ａフルートの段ボールシートとＢフルートの段ボールシートとを合体させたような構造であるものの、２枚の中芯の外側にライナーが配置されているとともに、２枚の中芯間に１枚のライナーが配置された構成からなる。すなわち、２枚の中芯と３枚のライナーの計５枚の段ボール紙を具備する構造のものである。
【００２１】
これに対して本考案の箱状物形成用段ボールシート構造体は、主板が１枚又は２枚のＡフルートの段ボールシートと１枚のＢフルートの段ボールシートとが貼り合わせて構成され、複数の側板が１枚のＡフルートの段ボールシートと１枚のＢフルートの段ボールシートとが貼り合わせて構成されているので、２枚の中芯と４枚のライナーの少なくとも計６枚の段ボール紙が具備されることとなる。特に、Ａフルートの段ボールシートとＢフルートの段ボールシートとの貼り合せ部分においては、２枚のライナーが重なった状態となっているので、このようなライナーの重なり部分が存在することで、上記ＡＢフルートからなる段ボールシートに比べると強度が良好になる。
【００２２】
上述のようなことから、１枚又は２枚のＡフルートの段ボールシートと１枚のＢフルートの段ボールシートとが貼り合わせて主板が構成され、１枚のＡフルートの段ボールシートと１枚のＢフルートの段ボールシートとが貼り合わせて複数の側板が構成され、主板と側板との境界部分となる折曲部が、１枚のＢフルートの段ボールシートのみで構成された段ボールシート構造体を組立てて箱状物として使用する場合、優れた強度を有しながらも組み立てが容易で保管時に嵩張らないような段ボール箱を形成しうる段ボールシート構造体を提供することが可能となる。
【００２３】
また本考案は、前記段ボールシート構造体によって組み立てられる箱状物と、該箱状物の上面の開口部を開閉自在とする蓋体とが具備されて構成されていることを特徴とする棺桶を提供するものである。さらに本考案は、前記段ボールシート構造体によって形成される箱本体と、該箱本体の内部を仕切る１以上の仕切板とが具備されていることを特徴とする収納ボックスを提供するものである。
【考案の効果】
【００２４】
以上のように、本考案によれば、たとえば自然災害時等において利用する場合、或いはそれ以外の用途に利用する場合において、優れた強度を有しながらも組み立て容易で保管時に嵩張らないような段ボール箱を形成するための段ボールシート構造体を提供することが可能となる。
【図面の簡単な説明】
【００２５】
【図１】一実施形態の段ボールシート構造体の平面図。
【図２】図１のＡ−Ａ線拡大断面図。
【図３】図１のＢ−Ｂ線拡大断面図。
【図４】図１のＣ−Ｃ線拡大断面図。
【図５】蓋体の背面図。
【図６】図５のＤ−Ｄ線拡大断面図。
【図７】段ボールシート構造体の一使用例を示す平面図。
【図８】同使用例の側面図。
【図９】同開蓋状態の側面図。
【図１０】段ボールシート構造体の他の使用例に用いる縦仕切板の側面図。
【図１１】同使用例の横仕切板の側面図。
【図１２】同使用例の概略平面図。
【考案を実施するための形態】
【００２６】
以下、本考案の実施形態について、図面に従って説明する。本実施形態の段ボールシート構造体１は、上面側に開口部を有する箱状物（段ボール箱）の形成に用いられ、該箱状物を組立てる前の保管状態においては、図１に示すように、平坦な状態となっている。
【００２７】
該段ボールシート構造体１には、その中央部を構成する平面視長方形の主板２と、該長方形において対向する２つの長辺に沿ってそれぞれ設けられた側板３，３と、前記長方形において対向する２つの短辺に沿ってそれぞれ設けられた側板４，４と、長辺側の前記側板３，３の長手方向両端からそれぞれ延びるようにして設けられた２対の補助板５，５とが具備されている。尚、前記主板２は、箱状物を組立てた際に収容物が載置される底部を構成するもので、長辺側の前記側板３，３、及び、短辺側の前記側板４，４は、側壁部を構成するものである。
【００２８】
長手方向の１対の側板３、３は、主板２に連設されており、該主板２との境界部分である折曲部６、６を介して前記主板２に折曲可能とされている。短手方向の１対の側板４、４も同様に主板２に連設されており、該主板２との境界部分である折曲部７、７を介して折曲可能とされている。さらに補助板５、５は、長手方向の１対の側板３、３に連設されており、該側板３との境界部分である折曲部８、８を介して折曲可能とされている。
【００２９】
図２には、主板２及び長手方向の側板３の断面を示している。同図に示すように、主板２は、１枚のＡフルートの段ボールシート２ａと、１枚のＢフルートの段ボールシート２ｂとが貼り合されて構成されている。また側板３も、同様に１枚のＡフルートの段ボールシート３ａと、１枚のＢフルートの段ボールシート３ｂとが貼り合されて構成されている。Ａフルートの段ボールシートは、３０ｃｍあたりのフルート（波）の数が３４±２のものであり、Ｂフルートの段ボールシートは、３０ｃｍあたりのフルート（波）の数が５０±２のものである（ＪＩＳ  Ｚ  １５１６）。
【００３０】
主板２を構成するＡフルートの段ボールシート２ａは、中芯９と、該中芯９の両側に設けられたライナー１０、１１とで構成されている。またＢフルートの段ボールシート２ｂも同様に、中芯１２と、その両側のライナー１３、１４とで構成されている。側板３を構成するＡフルートの段ボールシート３ａも、同様に中芯９とライナー１０、１１とで構成され、側板３を構成するＢフルートの段ボールシート３ｂも中芯１２とライナー１３、１４とで構成されている。主板２と長手方向の側板３との境界部分である折曲部６の位置には、同図に示すように、Ａフルートの段ボールシートは存在せず、１枚のＢフルートの段ボールシート６ｂのみが存在している。すなわち主板２を構成するＢフルートの段ボールシート２ｂが、主板２と側板３との境界部分である折曲部６から側板３側に延出されて側板３のＢフルートの段ボールシート３ｂが構成されており、主板２を構成するＢフルートの段ボールシート２ｂ、折曲部６を構成するＢフルートの段ボールシート６ｂ、及び側板３を構成するＢフルートの段ボールシート３ｂが、１枚のＢフルートの段ボールシートで形成されている。
【００３１】
図３には、主板２及び短手方向の側板４の断面を示している。同図に示すように、短手方向の側板４も、前記主板２及び長手方向の側板３と同様に、１枚のＡフルートの段ボールシート４ａと、１枚のＢフルートの段ボールシート４ｂとが貼り合されて構成されている。Ａフルートの段ボールシート４ａは中芯９とライナー１０、１１とで構成され、Ｂフルートの段ボールシート４ｂも中芯１２とライナー１３、１４とで構成されている。主板２の構造は、図２に基づいて説明したとおりである。また主板２と短手方向の側板４との連設部分である折曲部７の位置には、Ａフルートの段ボールシートは存在せず、１枚のＢフルートの段ボールシート７ｂのみが存在している。すなわち主板２を構成するＢフルートの段ボールシート２ｂが、主板２と側板４との境界部分である折曲部７から側板４側に延出されて側板４のＢフルートの段ボールシート４ｂが構成されており、主板２を構成するＢフルートの段ボールシート２ｂ、折曲部７を構成するＢフルートの段ボールシート７ｂ、及び側板４を構成するＢフルートの段ボールシート４ｂが、１枚のＢフルートの段ボールシートで形成されている。
【００３２】
図４には、長手方向の側板３及び補助板５の断面を示している。補助板５は、同図に示すように１枚のＢフルートの段ボールシート５ｂのみで構成されている。このＢフルートの段ボールシート５ｂも中芯１２とライナー１３、１４とで構成されている。長手方向の側板３の構造は、図２に基づいて説明したとおりである。また長手方向の側板３と補助板５との連設部分である折曲部８の位置には、Ａフルートの段ボールシートは存在せず、１枚のＢフルートの段ボールシート８ｂのみが存在している。すなわち側板３を構成するＢフルートの段ボールシート３ｂが、側板３と補助板５との境界部分である折曲部８から補助板５側に延出されて補助板５のＢフルートの段ボールシート５ｂが構成されており、側板３を構成するＢフルートの段ボールシート３ｂ、折曲部８を構成するＢフルートの段ボールシート８ｂ、及び補助板５を構成するＢフルートの段ボールシート５ｂが、１枚のＢフルートの段ボールシートで形成されている。
【００３３】
上記構成からなる段ボールシート構造体１は、主板２に対して１対の長手方向の側板３、３が折曲部６、６を介して折り曲げられ、主板２に対して１対の短手方向の側板４、４が折曲部７、７を介して折り曲げられ、長手方向の側板３、３に対して、それぞれ補助板５、５が折曲部８、８を介して折り曲げられて箱状物として組み立てられるものである。その際、計２対の補助板５、５は、それぞれ短手方向の側板４、４の内側に配置されるように組み立てられる。
【００３４】
このように段ボールシート構造体１によって組み立てられた箱状物は、たとえば棺桶として使用される。図５及び６には、その棺桶の蓋体が示されている。
【００３５】
蓋体１５は、図５に示すように、平面長方形状のものであり、４隅コーナー部の手前側には、前記段ボールシート構造体１の長手方向の側板３及び短手方向の側板４に係止される係止部１６が形成されている。蓋体１５は、図６に示すように１枚のＡフルートの段ボールシート１５ａのみで構成されており、係止部１６は、同図に示すように３枚のＢフルートの段ボールシート１６ｂが重ね合わされて構成されている。蓋体１５を構成するＡフルートの段ボールシート１５ａや係止部１６を構成するＢフルートの段ボールシート１６ｂが中芯及び両側のライナーで構成されている点は、箱状物形成用段ボールシート構造体１の主板２や側板３、４を構成しているＡフルートの段ボールシートやＢフルートの段ボールシートと同様である。
【００３６】
蓋体１５の中央より一方の短手方向の側辺に偏った位置には、折曲部１７が形成されており、該折曲部１７を介して一方が主片１８、他方が折曲片１９として形成されている。
【００３７】
そして、このような蓋体１５が、上記構成からなる段ボールシート構造体１によって組み立てられた箱状物（箱本体）の上面開口部を閉じるように該箱本体の上面に設置されることによって、図７及び図８に示すような棺桶２０が得られることとなる。蓋体１５は、図９に示すように、主片１８が箱状物に設置されたままの状態で折曲片１９が該主片１８に対して折曲部１７を介して折り曲げられることによって開閉され、箱本体の上面開口部の一部のみが開口されることとなる。このように段ボールシート構造体１によって棺桶２０が構成される場合、段ボールシート構造体１の主板２が、棺桶２０の底板として構成されることとなる。
【００３８】
このような棺桶２０を用いる場合において、箱状物（箱本体）を構成する段ボールシート構造体１の主板２（棺桶２０の底板）と、長手方向の１対の側板３、３、及び短手方向の１対の側板４、４は、いずれも１枚のＡフルートの段ボールシートと１枚のＢフルートの段ボールシートとが貼り合されて構成されているため、棺桶２０を構成する段ボールシート構造体１の強度が良好なものとなる。
【００３９】
また段ボールシート構造体１を組み立てて箱状物を形成する場合において、主板２と長手方向の側板３との境界部分である折曲部６の位置、主板２と短手方向の側板４との境界部分である折曲部７の位置には、いずれも厚さ約５ｍｍのＡフルートの段ボールシートは存在せず、厚さ約３ｍｍのＢフルートの段ボールシート６ｂ、７ｂのみが存在しているので、折曲部６、７を介して長手方向の側板３及び短手方向の側板４を主板２に対して折り曲げる作業を容易に行うことができる。また、このように主板２に対する側板３、４の折り曲げる作業が容易であるので、折曲部６、７の寸法を長くとる必要がなく、その分、折り畳んだ状態での嵩張りを極力少なくすることができる。これは、震災等のために行政機関が段ボール製の棺桶を備蓄する上で有益となる。
【００４０】
尚、このように段ボールシート構造体１を棺桶２０として用いる場合、上記主板２は、図示しないが、２枚のＡフルートの段ボールシートと、１枚のＢフルートの段ボールシートとを貼り合せて構成することも可能である。このように２枚のＡフルートの段ボールシートを主板２に具備させることで、棺桶２０の底板の強度がより向上し、荷重に一層耐えうる棺桶を提供することができる。
【００４１】
尚、２枚のＡフルートの段ボールシートと１枚のＢフルートの段ボールシートとを貼り合わせて主板２を構成した場合には、Ａフルートの段ボールシートが１枚の場合に比べて、折り畳んだときの嵩張りが大きくなるが、段ボールシート構造体の構成部材として側板３、４が計４個存在するのに対して、主板２は構成部材として１個のみしか存在しないので、強度を向上させるために主板２に２枚のＡフルートの段ボールシートが具備されていたとしても、折り畳んだときの嵩張りは最小限に抑制することができる。
【００４２】
上記段ボールシート構造体１によって組み立てられた箱状物（箱本体）は、たとえば収納ボックスとしても使用することができる。図１０及び図１１には、その収納ボックスの仕切板が示されている。収納ボックスを構成する仕切板として、図１０に示すような長手方向の仕切板２１と、図１１に示すような短手方向の仕切板２２とが用いられる。長手方向の仕切板２１、短手方向の仕切板２２は、図示しないが、ともに１枚のＡフルートの段ボールシートのみで構成されている。
【００４３】
長手方向の仕切板２１には、図１０に示すように長手方向の一辺側から切り欠かれた４条の切欠部２３が形成されており、短手方向の仕切板２２には、図１１に示すように長手方向の一辺側から切り欠かれた１条の切欠部２４が形成されている。
【００４４】
そして、上記のように段ボールシート構造体１によって組み立てられた箱状物（箱本体）の長手方向中央に、図１２に示すように、長手方向の仕切板２１が設置され、該長手方向の仕切板２１と交差するように、４個の短手方向の仕切板２２が設置されることとなる。この場合、長手方向の仕切板２１の４条の切欠部２３と、
短手方向の仕切板２２の切欠部２４の位置が合致するように、長手方向の仕切板２１と短手方向の仕切板２２とを相互に差し込むことによって、図１２のような収納ボックス２５が組み立てられることとなる。このように段ボールシート構造体１によって収納ボックス２５が構成される場合、段ボールシート構造体１の主板２が、収納ボックス２５の底板として構成されることとなる。
【００４５】
このような収納ボックス２５を用いる場合においても、上記棺桶２０の場合と同様に、段ボールシート構造体１の主板２（収納箱２５の底板）と、各側板３、３、４、４は、いずれも１枚のＡフルートの段ボールシートと１枚のＢフルートの段ボールシートとが貼り合されて構成されているため、収納ボックス２５を構成する段ボールシート構造体１の強度が良好なものとなる。
【００４６】
その一方で、段ボールシート構造体１の各折曲部６、７の位置には、Ａフルートの段ボールシートは存在せず、１枚のＢフルートの段ボールシート６ｂ、７ｂのみが存在しているので、折曲部６、７を介して側板３、４を主板２に対して折り曲げる作業を容易に行うことができ、また折曲部６、７の寸法を長くとる必要がなく、その分、折り畳んだ状態での嵩張りを極力少なくすることができる。このように段ボールシート構造体１を収納ボックス２５として使用できることも、震災等のために行政機関が備蓄する上で有益となる。
【００４７】
尚、上記収納ボックス２５は、開口部分を上面側に位置させて使用されるが、開口部分を側面側に位置させることで、たとえば収納棚としても使用することができる。この場合には、長手方向の一方の側板３が天板とされ、長手方向の他方の側板３が底板とされる。
【００４８】
さらに、上記収納ボックス２５を反転させて主板２（収納箱２５の底板）の部分を天板とすることによって、たとえばテーブルやベンチとして使用することができる。主板２（天板）上に食料等の各種の物品が載置されてテーブルとして使用され、利用者が主板２（天板）上に座ることによってベンチとして使用されることとなる。
【００４９】
この場合において、段ボールシート構造体１の主板２と、各側板３、３、４、４が、いずれも１枚のＡフルートの段ボールシートと１枚のＢフルートの段ボールシートとが貼り合されて構成されているだけでなく、このような段ボールシート構造体１によって形成される箱状物内に、上記のような長手方向の仕切板２１と短手方向の仕切板２２とが交差するように設けられているので、テーブルやベンチとして使用する場合に、載置される物品の重量や利用者の体重に耐えることができるような強度を有することになる。このように段ボールシート構造体１をテーブルやベンチとして使用できることも、震災等のために行政機関が備蓄する上で有益となる。
【００５０】
尚、ベンチとして使用する場合には、上記主板２は、２枚のＡフルートの段ボールシートと、１枚のＢフルートの段ボールシートとを貼り合せて構成することが可能である。このように２枚のＡフルートの段ボールシートを主板２に具備させることで、ベンチの底板の強度がより向上し、利用者の体重に一層耐えうるベンチを提供することができる。２枚のＡフルートの段ボールシートと１枚のＢフルートの段ボールシートとを貼り合わせて主板２を構成した場合には、Ａフルートの段ボールシートが１枚の場合に比べて、折り畳んだときの嵩張りが大きくなるが、段ボールシート構造体の構成部材として側板３、４が計４個存在するのに対して、主板２は構成部材として１個のみしか存在しないので、強度を向上させるために主板２に２枚のＡフルートの段ボールシートが具備されていたとしても、折り畳んだときの嵩張りは最小限に抑制することができる。
【００５１】
さらに、上記のような段ボールシート構造体１は、箱状物として全体を組み立てずに、パーテーションとしても使用することもできる。このようにパーテーションとしても使用できることも、震災等のために行政機関が備蓄する上で有益となる。
【００５２】
以上のように、本実施形態では、震災等のために行政機関等に備蓄される段ボールシート構造体として、上記のような棺桶、収納箱、収納棚、ベンチ、テーブル、パーテーション等、種々の用途に使用することができる段ボールシート構造体を提供することができる。
【００５３】
そして、棺桶、収納箱、収納棚、ベンチ、テーブル等のいずれの用途に使用する場合においても、段ボールシート構造体１の主板２と、各側板３、３、４、４が、いずれもＡフルートの段ボールシートとＢフルートの段ボールシートとが貼り合されて構成されているので、これらの用途に適した強度を有することとなる。
【００５４】
また段ボールシート構造体１の各折曲部６、７の位置には、Ａフルートの段ボールシートは存在せず、１枚のＢフルートの段ボールシートのみが存在しているので、折曲部６、７を介して側板３、４を主板２に対して折り曲げる作業を容易に行うことができ、また折曲部６、７の寸法を長くとる必要がなく、その分、折り畳んだ状態での嵩張りが極力抑制され、不使用時に必要以上に保管スペースをとることがなく、上記棺桶、収納箱、収納棚、ベンチ、テーブル等用として備蓄する上において好都合となる。
【００５５】
尚、上記実施形態では、段ボールシート構造体に主板２が１枚のみ具備されていたが、２枚の主板２を段ボールシート構造体に具備させることも可能である。この場合には、段ボールシート構造体に天板と底板との双方を備えた箱状物を形成することも可能となる。
【００５６】
また、上記実施形態では、主板２が長方形状に形成されていたが、主板２の形状はこれに限定されるものではなく、たとえば正方形状、三角形状、五角形状、六角形状等に形成することができる。主板２が長方形状や正方形状に形成されている場合には、たとえば側板は４枚となるが、三角形状、五角形状、六角形状等に形成される場合には、たとえば側板は３枚、５枚、６枚等となる。ただし、主板２のすべての辺に側板が連設されていることは本考案に必須の条件ではなく、要は複数の側板４が主板２に連設されていればよい。
【００５７】
さらに、上記実施形態のように、長手方向の仕切板２１と短手方向の仕切板２２とが交差するように、該仕切板２１、２２を主板２と側板３、４とで包囲される空間部内に設けることで、ベンチ、テーブル等用として使用する場合の強度がより良好になるが、ベンチ、テーブル等用として使用する場合に、上記のような仕切板２１、２２を設けることは、本考案に必須の条件ではない。
【００５８】
また、上記実施形態では、段ボールシート構造体を、震災用としての棺桶、収納箱、収納棚、ベンチ、テーブル等として使用しうるとして用いる場合について説明したが、震災用としての用途以外の用途に用いることもむろん可能である。
【符号の説明】
【００５９】
１  段ボールシート構造体
２  主板
３  側板
４  側板
６  折曲部
７  折曲部
【図１】
0003187563.tif 000003
【図２】
0003187563.tif 000004
【図３】
0003187563.tif 000005
【図４】
0003187563.tif 000006
【図５】
0003187563.tif 000007
【図６】
0003187563.tif 000008
【図７】
0003187563.tif 000009
【図８】
0003187563.tif 000010
【図９】
0003187563.tif 000011
【図１０】
0003187563.tif 000012
【図１１】
0003187563.tif 000013
【図１２】
0003187563.tif 000014